(57)【要約】【課題】電子会議システムにおける参加者の質問や意見をわかりやすく表示して会議の効率を向上させる。【解決手段】発表者が表示装置で発表資料を表示してプレゼンテーションを行い、視聴者は個人の電子端末で同一資料を参照している場合に、視聴者の端末からの書き込み操作に応じて、表示装置が複数の発表画像と共に書き込み操作を関連付けて保存する。表示装置は、保存した複数の発表画像に書き込み操作に応じたグラフィックスを重畳し表示することにより、視聴者が複数の資料に跨いだ指摘を行う時に、関連資料のページを探すことを容易にできるようにする。【選択図】図１
2014098972.tif 000002
【特許請求の範囲】
【請求項１】
画像表示装置と、１以上の電子端末とを有する電子会議システムであって、
前記電子端末は、前記画像表示装置で表示された複数の画像を、当該複数の画像に対するユーザの操作を示す操作情報と関連付けて記録媒体に記録する画像・操作記録手段を備え、
前記画像表示装置は、前記電子端末と通信して、前記画像・操作記録手段により前記記録媒体に記録された複数の画像と、当該複数の画像に関連付けられた操作情報とに基づいて表示画像を生成する画像生成手段を備えることを特徴とする電子会議システム。
【請求項２】
前記操作情報は、ユーザの操作種別を含むことを特徴とする請求項１に記載の電子会議システム。
【請求項３】
前記操作情報は、ユーザの操作位置やサイズを含むことを特徴とする請求項１に記載の電子会議システム。
【請求項４】
前記操作情報は、ユーザが入力した文字情報を含むことを特徴とする請求項１に記載の電子会議システム。
【請求項５】
前記画像生成手段は、前記操作情報に基づきグラフィックスを描画して表示画像に重畳することを特徴とする請求項２〜４の何れか１項に記載の電子会議システム。
【請求項６】
画像表示装置と、１以上の電子端末とを有する電子会議システムであって、
前記電子端末は、前記画像表示装置で表示されたファイルから生成した複数の画像を、当該複数の画像に対するユーザの操作を示す操作情報と関連付けて記録媒体に記録する画像・操作記録手段を備え、
前記画像表示装置は、前記電子端末と通信して、前記画像・操作記録手段により前記記録媒体に記録されたファイルと、当該ファイルから生成した複数の画像に関連付けられた操作情報とに基づいて表示画像を生成する画像生成手段を備えることを特徴とする電子会議システム。
【請求項７】
前記ファイルは、オフィス文書ドキュメントであり、前記操作情報は、オフィス文書ドキュメントのページ番号を含むことを特徴とする請求項６に記載の電子会議システム。
【請求項８】
前記ファイルは、オフィス文書ドキュメントであり、前記操作情報は、ユーザが操作したオフィス文書ドキュメントのオブジェクトの情報を含むことを特徴とする請求項７に記載の電子会議システム。
【請求項９】
画像表示装置と、１以上の電子端末とを有する電子会議システムを構成する電子端末であって、
前記画像表示装置で表示された複数の画像を、当該複数の画像に対するユーザの操作を示す操作情報と関連付けて記録媒体に記録する画像・操作記録手段を備えることを特徴とする電子端末。
【請求項１０】
画像表示装置と、１以上の電子端末とを有する電子会議システムを構成する電子端末であって、
前記画像表示装置で表示されたファイルから生成した複数の画像を、当該複数の画像に対するユーザの操作を示す操作情報と関連付けて記録媒体に記録する画像・操作記録手段を備えることを特徴とする電子端末。
【請求項１１】
画像表示装置と、１以上の電子端末とを有する電子会議システムを構成する画像表示装置であって、
前記電子端末と通信して、前記画像・操作記録手段により前記記録媒体に記録された複数の画像と、当該複数の画像に関連付けられた操作情報とに基づいて表示画像を生成する画像生成手段を備えることを特徴とする画像表示装置。
【請求項１２】
画像表示装置と、１以上の電子端末とを有する電子会議システムを構成する画像表示装置であって、
前記電子端末と通信して、前記画像・操作記録手段により前記記録媒体に記録されたファイルと、当該ファイルから生成した複数の画像に関連付けられた操作情報とに基づいて表示画像を生成する画像生成手段を備えることを特徴とする画像表示装置。
【請求項１３】
画像表示装置と、１以上の電子端末とを有する電子会議システムの制御方法であって、
前記電子端末は、前記画像表示装置で表示された複数の画像を、当該複数の画像に対するユーザの操作を示す操作情報と関連付けて記録媒体に記録する画像・操作記録工程を備え、
前記画像表示装置は、前記電子端末と通信して、前記画像・操作記録工程により前記記録媒体に記録された複数の画像と、当該複数の画像に関連付けられた操作情報とに基づいて表示画像を生成する画像生成工程を備えることを特徴とする電子会議システムの制御方法。
【請求項１４】
画像表示装置と、１以上の電子端末とを有する電子会議システムの制御方法であって、
前記電子端末は、前記画像表示装置で表示されたファイルから生成した複数の画像を、当該複数の画像に対するユーザの操作を示す操作情報と関連付けて記録媒体に記録する画像・操作記録工程を備え、
前記画像表示装置は、前記電子端末と通信して、前記画像・操作記録工程により前記記録媒体に記録されたファイルと、当該ファイルから生成した複数の画像に関連付けられた操作情報とに基づいて表示画像を生成する画像生成工程を備えることを特徴とする電子会議システムの制御方法。
【発明の詳細な説明】
【技術分野】
【０００１】
本発明は電子会議システム、画像表示装置及び電子端末に関し、特に、発表用画像表示装置と１以上の参加者用電子端末とを有する電子会議システムに用いて好適な技術に関する。
【背景技術】
【０００２】
会議を行う場合に、発表者が液晶プロジェクタ等の画像表示装置を用いて、スクリーンなどの平面に発表用の資料を投影してプレゼンテーションを行い、参加者は個々のＰＣやタブレットなどの電子端末を用いて発表用の資料を参照しながら会議を進めることがある。
【０００３】
従来、このような電子会議システムにおいて、参加者が効率的に発表者へ質問や意見を述べるための技術として、参加者の電子端末から発表者用の画像表示装置へ送信された質問・意見を、発表者用の画像表示装置で編集、表示可能とする技術がある。例えば、特許文献１を参照。
【０００４】
特許文献１に記載の電子会議システムは、発表者からの書き込み操作に応じて発表資料にマーカーを書き込むことができる。また、視聴者の音声を録音し、発表後に該当資料のページを指定した場合に音声を再生することもできる。
【先行技術文献】
【特許文献】
【０００５】
【特許文献１】特開２０１１−９０３５０号公報
【発明の概要】
【発明が解決しようとする課題】
【０００６】
前述した特許文献１に記載の電子会議システムでは、発表者用の資料の複数ページを跨ぐ内容に対する参加者の質問や意見をわかりやすく表示することができない問題点があった。また、発表者が質問や意見の回答時に関連する資料のページを探す必要があり、会議の効率が低下するという問題点があった。
本発明は前述の問題点に鑑み、電子会議システムにおける参加者の質問や意見をわかりやすく表示して会議の効率を向上させることを目的とする。
【課題を解決するための手段】
【０００７】
本発明の電子会議システムは、画像表示装置と、１以上の電子端末とを有する電子会議システムであって、前記電子端末は、前記画像表示装置で表示された複数の画像を、当該複数の画像に対するユーザの操作を示す操作情報と関連付けて記録媒体に記録する画像・操作記録手段を備え、前記画像表示装置は、前記電子端末と通信して、前記画像・操作記録手段により前記記録媒体に記録された複数の画像と、当該複数の画像に関連付けられた操作情報とに基づいて表示画像を生成する画像生成手段を備えることを特徴とする。
【発明の効果】
【０００８】
本発明によれば、参加者が複数ページを跨いで質問や意見を行う場合に、発表者が参加者の指摘した資料のページをすぐに参照することが可能となり、会議の効率を向上させることができる。
【図面の簡単な説明】
【０００９】
【図１】第１の実施形態の電子会議システムの構成を示すブロック図である。
【図２】第１の実施形態の画像表示装置の画像表示制御処理の流れを示すフローチャートである。
【図３】第１の実施形態の電子端末の画像データ記録制御処理の流れを示すフローチャートである。
【図４】第１の実施形態における電子端末の表示画面に表示される内容の相互関係を示す概念図である。
【図５】第１の実施形態における画像表示装置が操作情報から表示画像を生成して表示するまでの制御処理の流れを示すフローチャートである。
【図６】第１の実施形態における画像表示装置が表示画像を生成する様子を説明する概念図である。
【図７】第１の実施形態において、画像データと操作情報とを関連付けるデータ構造の一例を示す図である。
【図８】第２の実施形態における電子会議システムの構成を示すブロック図である。
【図９】第２の実施形態の画像表示装置の画像表示制御処理の流れを示すフローチャートである。
【図１０】第２の実施形態の電子端末の画像データ記録制御処理の流れを示すフローチャートである。
【図１１】第２の実施形態において、画像データと操作情報とを関連付けるデータ構造の一例を示す図である。
【図１２】第２の実施形態における、画像表示装置が操作情報から表示画像を生成して表示するまでの制御処理の流れを示すフローチャートである。
【発明を実施するための形態】
【００１０】
（第１の実施形態）
図１は、第１の実施形態における電子会議システムの構成例を示すブロック図である。
本実施形態の電子会議システムは、画像表示装置１０１および１以上の電子端末から構成される。
画像表示装置１０１は、画像入力部１０２、第１の通信部１０３、第１の画像・操作記録部１０４、画像生成部１０５、第１の画像表示部１０６、第１の操作入力部１１３から構成される。
【００１１】
電子端末１０７は、第２の通信部１０８、第２の画像表示部１０９、第２の操作入力部１１０、第２の画像・操作記録部１１１から構成される。
第Ｎの電子端末１１２は、電子端末１０７と同様の構成のため説明は省略する。
【００１２】
画像入力部１０２は、外部からの画像データを受け付け、第１の画像表示部１０６および第１の通信部１０３へと出力する。画像データは、例えばＨＤＭIやＤｉｓｐｌａｙ Ｐｏｒｔで接続される映像信号データ、または、ＵＳＢメモリなどの外部ストレージに格納されたＪＰＥＧ形式などの画像データである。また、これらを組み合わせて、複数の映像信号データ、画像データを同時に入力してもよい。
【００１３】
第１の通信部１０３は、参加者が所有している電子端末１０７および電子端末１１２とデータの送受信を行う。第１の通信部１０３から送信するデータは、画像入力部１０２から出力された画像データである。電子端末１０７から受信するデータは、電子端末１０７に表示した画像データと、その画像データに関連付けられた操作情報である。
【００１４】
第１の画像・操作記録部１０４は、第１の通信部１０３が受信した画像データと画像に関連付けられた操作情報を記録媒体１０４ａに記録する。
画像生成部１０５は、第１の画像・操作記録部１０４から画像データおよびユーザ操作情報から表示画像を生成し、第１の画像表示部１０６へと出力する。画像生成部１０５において行なわれる表示画像の生成方法の詳細は後述する。
【００１５】
第１の画像表示部１０６は、画像入力部１０２および画像生成部１０５から出力された画像を重畳して表示する。
第１の操作入力部１１３は、ユーザにより行なわれる画像表示装置１０１への操作を入力するためのものであり、例えば、本体に備え付けられたハードキーでもよいし、リモコンであってもよい。
【００１６】
第２の通信部１０８は、画像表示装置１０１の第１の通信部１０３とデータの送受信を行う。第２の通信部１０８から第１の通信部１０３に送信するデータは、電子端末１０７に表示した画像データと画像データに関連付けられた操作情報である。一方、第１の通信部１０３から受信するデータは、画像データである。
第２の画像表示部１０９は、第２の通信部１０８から出力された画像データを表示する。
第２の操作入力部１１０は、ユーザにより行なわれる電子端末１０７への操作を入力するためのものであり、例えば、電子端末１０７に接続されたキーボードやマウス、または電子端末が備えるタッチパッドである。
【００１７】
第２の画像・操作記録部１１１は、第２の操作入力部１１０に入力された操作情報と操作時に第２の画像表示部１０９に表示している画像データとを関連付けて記録媒体１１１ａに記録する。画像データと操作情報を関連付けて記録する方法について詳細は後述する。
【００１８】
次に、第１の実施形態における制御処理の流れを説明する。
図２は、第１の実施形態において、画像表示装置１０１に画像を入力し、その画像を表示するまでの制御処理の流れを示すフローチャートである。
Ｓ２０１では、画像表示装置１０１が入力画像表示モードか否かを判断する。画像表示装置１０１は、入力画像表示モードおよび生成画像表示モードの２つの表示モードを備え、第１の操作入力部１１３を介したユーザ操作によって切り替えができる。
【００１９】
入力画像表示モードは、画像表示装置１０１に外部から入力された画像を表示するモードであり、生成画像表示モードは画像生成部１０５が生成した画像を表示するモードである。表示モードが入力画像表示モードだった場合にはＳ２０２へと進む。表示モードが生成画像表示モードだった場合には、処理を終了する。
【００２０】
Ｓ２０２では、画像入力部１０２を介して外部から画像を入力する処理を行ない、その後、Ｓ２０３に進む。
Ｓ２０３では、画像入力部１０２は、入力された画像を第１の通信部１０３へと出力する。第１の通信部１０３は、接続している電子端末１０７へと入力された画像を送信する。
Ｓ２０４では、画像入力部１０２は、入力された画像を第１の画像表示部１０６へと出力する。第１の画像表示部１０６は、画像入力部１０２から入力された画像を表示する。
【００２１】
図３は、第１の実施形態において、電子端末１０７が受信した画像を第２の画像表示部１０９に表示し、ユーザ操作に応じて操作情報と画像を記録し、記録した画像データと操作情報を画像表示装置１０１へと送信する制御処理の流れを示すフローチャートである。
【００２２】
Ｓ３０１では、電子端末１０７は、第２の通信部１０８を介して画像データを受信する。
Ｓ３０２では、第２の通信部１０８は、第２の画像表示部１０９に画像データを出力し、第２の画像表示部１０９は、画像データを表示する。ここで表示する画像データの詳細については後述する。
【００２３】
Ｓ３０３では、電子端末１０７は、第２の操作入力部１１０からユーザ操作が入力されたか否かを判断する。ユーザ操作が入力されていない場合は、Ｓ３０1へと戻る。ユーザ操作が入力された場合は、Ｓ３０４へと進む。
Ｓ３０４では、ユーザ操作が表示終了の操作であるか否かを判断する。ユーザ操作が表示終了の操作でない場合はＳ３０５へと進む。ユーザ操作が表示終了の操作だった場合は、表示を終了する。
【００２４】
Ｓ３０５では、第２の操作入力部１１０から入力されたユーザ操作に応じて、第２の画像・操作記録部１１１は、表示中の画像を記録し、Ｓ３０６へ進む。
Ｓ３０６では、第２の画像・操作記録部１１１は、ユーザ操作情報をＳ３０５で記録した画像と関連付けて記録し、Ｓ３０７へ進む。
【００２５】
Ｓ３０７では、第２の画像・操作記録部１１１は、Ｓ３０５およびＳ３０６で記録したユーザ操作情報と画像データを、第２の通信部１０８を介して画像表示装置１０１へと送信し、Ｓ３０１へ戻る。
【００２６】
次に、第２の画像表示部１０９が画像を表示する場合の表示画面について図４を用いて詳細に説明する。
図４は、電子端末１０７の表示画面に表示される内容の相互関係を示す概念図である
図４において、４０１は、電子端末１０７の表示画面全体を示す。４０２および４０３は、第２の通信部１０８から出力された画像データであり、例えば、４０２は現在発表者が画像表示装置１０１に表示している画像、４０３は発表者が過去に画像表示装置１０１に表示していた画像である。これらの画像の表示は、第２の通信部１０８に新しい画像が送信された場合に、自動的に表示に反映してもよいし、ユーザ操作によって手動で表示に反映されてもよい。
【００２７】
４０４、４０５は、ユーザ操作に応じて描画されたグラフィックスを示しており、例えば、ユーザがマウスのドラッグすることやタッチパネルでドラッグ操作に応じて描画される。４０６は、ポインタでありマウス操作に応じて表示位置が移動する。４０７、４０８、４０９、４１０は画像に関連づける操作種別を示すアイコンである。
【００２８】
図４では、４０７は情報、４０８は警告、４０９は質問、４１０は指摘を示している。ユーザはこれらのアイコンをクリック、またはタッチして有効にした後、４０４、４０５に示したように表示中の画像の複数の領域をドラッグしマーキングすることができる。
【００２９】
例えば、４１０の指摘を有効にした後、４０４、４０５をマーキングした時の操作位置によって、グラフィックス４０４に示す領域に表示されているグラフと、４０５に記述されている内容に矛盾や間違いがあるなどの関連付けを行う。また、この時、キーボードやソフトウェアキーボードにて文字入力操作を行い、どのような指摘なのかを示すコメントを付加してもよい。
【００３０】
以下に、画像データと操作情報とを関連付けるデータ構造を説明する。
図７は、画像データと操作情報とを関連付けるデータ構造を示す図である。図７では、画像データと操作情報とを関連付けるデータをＸＭＬ形式で表現している。
図７において、７０１は、ユーザの操作種別を示すOperation要素である。Operation要素には、属性としてコメントを付加することができ、Comment属性は、ユーザがキーボードにて入力した文字情報が設定される。
【００３１】
７０２、７０５は、画像を示すpicture要素である。picture要素には、第２の画像・操作記録部１１１に記録した表示画像のファイル名を指定する。図７では、０００１．ｊｐｇおよび０００２．ｊｐｇが表示画像ファイル名となる。
７０３、７０６は、ユーザ操作によって指定された画像中の一部を示す、part要素である。図４では、楕円図形にて画像の一部領域を示している。
【００３２】
７０４、７０７は、楕円形を示す図形情報を示す、ellipse要素である。ellipse要素は、中心点のｘ座標を示すｃｘ属性、中心点のｙ座標を示すｃｙ属性、ｘ軸方向の半径の長さを示すｒｘ属性、ｙ軸方向の半径の長さを示すｒｙ属性を持つ。
７０４では、０００１．ｊｐｇの図形領域の左上を原点として、ｘ＝６００、ｙ＝３００、ｒｘ＝２００、ｒｙ＝５０の領域を示す。
【００３３】
これは、ユーザがマーキング時にドラッグした領域を示しており、例えば、複数の直線にてユーザがドラックした領域を忠実に記録してもよいし、ユーザがドラッグした領域を包含する基本図形に置き換えて記録してもよい。基本図形とは、正方形や長方形、円、楕円などである。
【００３４】
図５は、第１の実施形態において、画像表示装置１０１が電子端末１０７から受信した画像データと、操作情報に基づいて表示画像を生成し、第１の画像表示部１０６に表示するまでの制御処理の流れを示すフローチャートである。
Ｓ５０１では、画像表示装置１０１は第１の通信部１０３を介して、電子端末１０７から画像データとそれに関連付いたユーザ操作情報を受信し、Ｓ５０２へと進む。
Ｓ５０２では、Ｓ５０１で受信した画像データとそれに関連付いたユーザ操作情報を、第１の画像・操作記録部１０４に記録する。
【００３５】
Ｓ５０３では、画像表示装置１０１が生成画像表示モードであるか否かを判断し、生成画像表示モードであった場合にはＳ５０４へ進む。入力画像表示モードであった場合には、処理を終了する。
Ｓ５０４では、Ｓ５０２で記録した画像データとそれに関連付いたユーザ操作情報から表示画像を生成する。表示画像の生成方法の詳細は後述する。
Ｓ５０５では、Ｓ５０４で生成した画像を第１の画像表示部１０６に出力して表示する。
【００３６】
図６は、本実施形態において、画像表示装置１０１が生成する表示画像を説明するための概念図である。
６０１は、画像生成部１０５が生成する表示画像を説明するための第１の表示例であり、図７で説明した画像データと操作情報とを用いて表示する場合の例である。
６０２は、７０４で説明した楕円図形情報を元に描画したグラフィックスである。
６０３は、７０７で説明した楕円図形情報を元に描画したグラフィックスである。
【００３７】
６０４は、７０１で説明したユーザのコメントを示す。
６０１は、６０２、６０３を２画面の均等なサイズで表示する場合の表示例である。
６０５は、画像生成部１０５が生成する表示画像を説明するための第２の表示例である。
６０５は、図７で説明した画像データと操作情報とを用いて表示する場合の例であり、Ｐ１を表示中に第１の画像表示部１０６に表示領域の余白領域にＰ３を縮小して表示する表示例である。
【００３８】
６０７は、画像生成部１０５が生成する表示画像を説明するための第３の表示例である。
６０８は、６０２で説明した０００１．ｊｐｇの画像データの内、７０４で説明した楕円図形領域を拡大した画像データを示す。
６０９は、６０３で説明した０００１．ｊｐｇの画像データの内、７０８で説明した楕円図形領域を拡大した画像データを示す。
６０７は、６０２、６０３の内、ユーザ操作によって指定された領域のみを抽出して拡大表示する場合の表示例である。
【００３９】
（第２の実施形態）
図８は、第２の実施形態における電子会議システムの構成例を示すブロック図である。図８において、図１と同様の構成要素を示すブロックには同じ符号を付加している。以降、第２の実施形態の第１の実施形態との差分について説明する。
第２の実施形態では、第１の実施形態に対して、画像表示装置１０１がファイルデータを入力して表示することが特徴である。
【００４０】
ファイル入力部８０１は、外部からファイルを入力する。本実施形態においてファイルとは、画像表示装置１０１が表示するオフィス文書ドキュメントであり、例えば、「Open Document Format」や「Office Open XML」等のＸＭＬをベースとした、オフィススイート用のファイルフォーマットで構成される。「Open Document Format」とは、ＸＭＬをベースとしたオフィススイート用のファイルフォーマットをいう。「Office Open XML」とは、Microsoft Office 2007（登録商標）で新たに採用された文書フォーマットをいう。外部からのファイルの入力は、例えばＵＳＢメモリに保存されたデータを読み込むように実現してもよいし、ネットワーク経由でファイルデータを受信するように実現してもよい。
【００４１】
第１の画像生成部８０２は、ファイル入力部８０１から入力したファイルを解析し表示する画像データを生成する。
第１の操作記録部８０３は、第１の通信部１０３が受信した操作情報を記録媒体８０３ａに記録する。
第２の画像生成部８０４は、第２の通信部１０８が受信したファイルを解析し、表示する画像データを生成する。
第２の操作記録部８０５は、第２の操作入力部１１０に入力された操作情報と操作時に第２の画像表示部１０９に表示しているファイルとを関連付けて記録媒体８０５ａに記録する。
【００４２】
次に、第２の実施形態における制御処理の流れを説明する。
図９は、第２の実施形態において、画像表示装置１０１にファイルを入力し、そのファイルを表示するまでの制御処理の流れを示すフローチャートである。
Ｓ９０１では、画像表示装置１０１は、ユーザの操作がファイルの表示開始か否かを判断し、ファイル表示開始操作だった場合にはＳ９０２へと進む。ファイル表示開始操作ではない場合には、処理を終了する。
【００４３】
Ｓ９０２では、外部から画像表示装置１０１へファイル入力部８０１を介しファイルを入力する。
Ｓ９０３では、ファイル入力部８０１は、入力された画像を第１の通信部１０３へと出力する。第１の通信部１０３は、接続している電子端末１０７へと入力された画像を送信する。
【００４４】
Ｓ９０４では、ファイル入力部８０１は、入力されたファイルを第１の画像生成部８０２へと出力する。第１の画像生成部８０２は、ファイルを解析し表示する画像データを生成する。
Ｓ９０５では、ユーザ操作がファイルの表示終了処理であるか否かを判断する。ファイルの表示終了処理だった場合には、処理を終了する。ファイルの表示終了処理以外だった場合には、Ｓ９０４に戻ってユーザ操作に応じて、ファイルの表示を更新する。ここでの、ファイル表示終了以外の操作とは、例えば、ファイル内のコンテンツのスクロール操作である。
【００４５】
図１０は、第２の実施形態において、電子端末１０７が受信したファイルを表示しユーザ操作に応じて操作情報を記録媒体に記録し、記録した操作情報を画像表示装置１０１へと送信する制御処理の流れを示すフローチャートである。
Ｓ１００１では、電子端末１０７は、第２の通信部１０８を介してファイルを受信する。
Ｓ１００２では、第２の通信部１０８は、第２の画像生成部８０４にファイルを出力する。第２の画像生成部８０４は、ファイルを解析し、表示する画像データを生成し、第２の画像表示部１０９へ出力する。第２の画像表示部１０９は、入力された画像データを表示する。
【００４６】
Ｓ１００３では、電子端末１０７は、第２の操作入力部１１０を介してユーザ操作が入力されたか否かを判断する。ユーザ操作が入力された場合にはＳ１００４へ進む。ユーザ操作が入力されていない場合は、Ｓ１００２に戻り画像の表示を継続する。
【００４７】
Ｓ１００４では、電子端末１０７は、Ｓ１００３で入力されたユーザ操作が表示終了操作か否かを判断する。ユーザ操作が表示終了だった場合には、処理を終了する。ユーザ操作が表示終了操作以外の操作であった場合には、Ｓ１００５へと進む。
Ｓ１００５では、第２の操作記録部８０５は、Ｓ１００４で入力されたユーザ操作情報を記録媒体８０５ａに記録し、Ｓ１００２へと進む。
【００４８】
次に、Ｓ１００５で記録する情報について説明する。
図１１は、ファイルと操作情報とを関連付けるデータ構造を示す図である。図１１では、画像データと操作情報とを関連付けるデータをＸＭＬ形式で表現している。
１１０１は、ユーザ操作を示すOperation要素である。Operation要素には属性としてコメント、ユーザ情報を付加することができ、comment属性は、ユーザがキーボードにて入力した文字情報が設定される。user属性は、電子端末１０７を操作しているユーザ情報である。ユーザ情報は、電子端末１０７に予め登録済みのユーザ情報を設定するようにしてもよいし、ユーザがキーボードにて入力した文字情報を設定するようにしてもよい。
【００４９】
１１０２、１１０３は、表示中のファイルの情報を示すfile要素である。file要素には、第２の操作記録部に記録した表示中のファイル名を指定する。図１１では、０００１．ｄｏｃ、０００２．ｄｏｃがファイル名となる。ｐａｇｅ属性は、表示しているファイルのページ番号を示す。table属性は、ファイル中の表番号を示す。fig属性は、ファイル中の図番号である。図１１の例では、０００１．ｄｏｃの１０ページ目に記載されているｔａｂｌｅ２の表と、０００２．ｄｏｃの１２ページ目に記載されているｆｉｇ１の図の説明が矛盾しているという指摘を意味する。
【００５０】
ここでは、オフィス文書ドキュメントに挿入される図オブジェクトや表オブジェクトについて説明したが、例えば、ユーザ操作でポイントした付近に表示される見出し、段落など他のオブジェクトを関連付けて記憶するようにしてもよい。
【００５１】
図１２は、第２の実施形態において、画像表示装置１０１が電子端末１０７から受信した画像データと、操作情報に基づいて表示画像を生成、表示するまでの制御処理の流れを示すフローチャートである。
Ｓ１２０１では、画像表示装置１０１は第１の通信部１０３を介して、ユーザ操作情報を受信し、Ｓ１２０２へと進む。
【００５２】
Ｓ１２０２では、Ｓ１２０１で第１の操作記録部８０３はユーザ操作情報を記録媒体８０３ａに記録する。
Ｓ１２０３では、画像表示装置１０１が生成画像表示モードか否かを判断し、生成画像表示モードだった場合にはＳ１２０４へ進む。生成画像表示モードではない場合には、処理を終了する。
【００５３】
Ｓ１２０４では、Ｓ１２０２で記録したユーザ操作情報から表示画像を生成する。表示画像の生成方法については、第１の実施形態で図６を用いて説明したものとなるため、ここでの説明は割愛する。
Ｓ１２０５では、第１の画像表示部１０６は、Ｓ１２０４で生成した画像を表示する。
【００５４】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５５】
１０１  画像表示装置
１０２  画像入力部
１０３  第１の通信部
１０４  第１の画像・操作記録部
１０５  画像生成部
１０６  第１の画像表示部
１０７  電子端末
１０８  第２の通信部
１０９  第２の画像表示部
１１０  第２の操作入力部
１１１  第２の画像・操作記録部
１１２  第Ｎの電子端末
１１３  第１の操作入力部
【図１】
2014098972.tif 000003
【図２】
2014098972.tif 000004
【図３】
2014098972.tif 000005
【図４】
2014098972.tif 000006
【図５】
2014098972.tif 000007
【図６】
2014098972.tif 000008
【図７】
2014098972.tif 000009
【図８】
2014098972.tif 000010
【図９】
2014098972.tif 000011
【図１０】
2014098972.tif 000012
【図１１】
2014098972.tif 000013
【図１２】
2014098972.tif 000014